(57)【要約】【課題】  アプリケーションプログラムを手間をかけず容易に起動することができると共に、他端末においても同様に起動が可能な外部接続装置を提供する。【解決手段】  利用者が利用する個人端末に接続され、前記個人端末にアプリケーションプログラムを提供する外部接続装置であって、前記外部接続装置が、前記個人端末との接続を行うメモリ側接続部と、前記個人端末のＩＰアドレスを取得する接続端末アドレス取得部と、前記外部接続装置個々のＩＰ電話番号を記憶している電話番号記憶部と、前記個人端末に対して提供するＵＲＬを記憶しているＵＲＬ記憶部と、前記メモリ側接続部が前記個人端末と接続されたことを認識し、前記接続端末アドレス取得部を動作させると共に、前記ＩＰ電話番号及び前記ＵＲＬを前記個人端末に対して提供する指令部とを含む。【選択図】    図１
2007068116.tif 000002
【特許請求の範囲】
【請求項１】
利用者が利用する個人端末に接続され、前記個人端末にアプリケーションプログラムを提供する外部接続装置であって、
前記外部接続装置が、
前記個人端末との接続を行うメモリ側接続部と、
前記個人端末のＩＰアドレスを取得する接続端末アドレス取得部と、
前記外部接続装置個々のＩＰ電話番号を記憶している電話番号記憶部と、
前記個人端末に対して提供するＵＲＬを記憶しているＵＲＬ記憶部と、
前記メモリ側接続部が前記個人端末と接続されたことを認識し、前記接続端末アドレス取得部を動作させると共に、前記ＩＰ電話番号及び前記ＵＲＬを前記個人端末に対して提供する指令部と、
前記個人端末から受信したオーディオデータを変換するオーディオ変換部と、
前記オーディオ変換部により変換されたオーディオデータを外部に出力するオーディオ出力部と、
からなることを特徴とする外部接続装置。
【発明の詳細な説明】
【技術分野】
【０００１】
本発明は外部接続装置に関し、特に端末に接続することで該端末に対して瞬時にアプリケーションプログラムを提供する外部接続装置に関する。
【背景技術】
【０００２】
従来、インターネット等の通信ネットワークを通じて、着信用メロディやカラオケ曲等の音楽データ、写真や地図等の画像データ、ニュース等の文字からなる文字データ、若しくはこれらの結合されたデータをデータ配信用サーバから配信するネットワークサービスが実用化されている。このサービスで配信されるデータは、携帯電話機やＰＣ（Ｐｅｒｓｏｎａｌ  Ｃｏｍｐｕｔｅｒ）等の端末装置でダウンロードすることができるが、ダウンロードしたデータを利用して音楽を聴いたり画像を見たりするには、データが有する識別情報ごとに専用のアプリケーションプログラムが必要となる。このため、サービスの利用者は、サービスの提供者から取得したデータ専用のアプリケーションプログラムを自己の端末でダウンロードし、このダウンロードしたプログラムを起動させている。なお、ここでデータの識別情報とはサービスの提供者が自己のデータを識別するために予めデータに割り付けた情報のことで、提供者ごとや、音楽、画像、文字といったデータの種類ごとに異なっている。
【発明の開示】
【発明が解決しようとする課題】
【０００３】
しかしながら、上述のようなサーバから各端末がダウンロードしてアプリケーションプログラムを利用する場合、利用者はまずブラウザを起動してインターネットを介してサービス提供者のホームページを探し出し、このホームページで提供されているアプリケーションプログラムをダウンロードした後ブラウザを終了させ、それからアプリケーションプログラムを起動させているため、これら一連の手順を行う際、携帯電話機を複雑に操作しなければならず、手間がかかるという問題がある。この結果、携帯電話機の操作が苦手な人は、アプリケーションプログラムを起動できず、ネットワークサービスで配信されるデータを利用できないことがある。
【０００４】
また、ある端末で利用していたアプリケーションプログラムを他端末で利用したい際に、端末が異なることによって利用が不可能である場合や、使える場合にもユーザ認証を行うために同一のユーザＩＤ及びパスワードを用意して入力する必要がある場合がある。特に、ＩＰ電話や各端末個別にハッシュ等が割り当てられたアプリケーションプログラム等の端末毎にＩＤが割り振られているアプリケーションプログラムの場合、通常はその端末のみでしか利用が出来ない
本発明は上記問題点に鑑みてなされたものであり、本発明の目的は、アプリケーションプログラムを手間をかけず容易に起動することができると共に、他端末においても同様に起動が可能な外部接続装置を提供することにある。
【課題を解決するための手段】
【０００５】
本発明は、外部接続装置に関し、特に端末に接続することで該端末に対して瞬時にアプリケーションプログラムを提供する外部接続装置に関し、本発明の上記目的は、利用者が利用する個人端末に接続され、前記個人端末にアプリケーションプログラムを提供する外部接続装置であって、前記外部接続装置が、前記個人端末との接続を行うメモリ側接続部と、前記個人端末のＩＰアドレスを取得する接続端末アドレス取得部と、前記外部接続装置個々のＩＰ電話番号を記憶している電話番号記憶部と、前記個人端末に対して提供するＵＲＬを記憶しているＵＲＬ記憶部と、前記メモリ側接続部が前記個人端末と接続されたことを認識し、前記接続端末アドレス取得部を動作させると共に、前記ＩＰ電話番号及び前記ＵＲＬを前記個人端末に対して提供する指令部と、前記個人端末から受信したオーディオデータを変換するオーディオ変換部と、前記オーディオ変換部により変換されたオーディオデータを外部に出力するオーディオ出力部と、からなることによって達成される。
【発明の効果】
【０００６】
本発明によれば、外部接続装置を端末に接続することで外部接続装置に記憶されているアプリケーションプログラムをすぐに利用することが可能である。
【０００７】
特に、ＩＰ電話等の他端末では利用が難しいアプリケーションプログラムに関しても本発明の外部接続装置を利用することで容易に可能にしている。
【発明を実施するための最良の形態】
【０００８】
本発明は、各利用者が利用する個人端末が有する接続部に対して接続することで、接続と同時にアプリケーションプログラムを提供する外部接続装置である。以下、図面を用いて説明する。
【０００９】
図１は、本発明に係る外部接続装置の概略図の一例である。
【００１０】
外部接続装置１は、外部接続装置１が接続された個人端末のＩＰアドレスを取得する接続端末アドレス取得部１１と、該個人端末に付与されるユニークなＩＰ電話の電話番号を記憶している電話番号記憶部１２と、任意のＵＲＬを記憶したＵＲＬ記憶部１３を有し、個人端末に接続が行われたことを感知する指令部１６からの指令によりそれぞれが動作する。また、ＩＰ電話等音声・音楽情報の使用時にはこの音声・音楽情報が外部接続装置１へと送信され、オーディオ変換部１４が受信すると共にＤ／Ａ変換を行い、オーディオ出力部１５が外部出力を行う。
【００１１】
外部接続装置１は、個人端末に対してハードウェアとして接続可能なように、メモリ側接続部１７を有している。なお、この外部接続装置１は、例えばＵＳＢ（Ｕｎｉｖｅｒｓａｌ  Ｓｅｒｉａｌ  Ｂｕｓ）メモリ、フラッシュメモリ等が利用されるのが好ましい。
【００１２】
指令部１６は、メモリ側接続部１７が個人端末に接続されたことを電気的に検知する。接続端末アドレス取得部１１は、指令部１６の接続検知に応じて個人端末のＩＰアドレスを取得する。それと共に、指令部１６が電話番号記憶部１２に記憶されているＩＰ電話の電話番号を読み出し、接続端末アドレス取得部１１により取得されたＩＰアドレスと、電話番号とを個人端末を介してサーバ（図示しない）に送信、登録する。これにより、個人端末においてＩＰ電話が利用できるようになる。なお、ＩＰ電話使用時の音声通話は、オーディオ変換部１４及びオーディオ出力部１５を介して行われる。
【００１３】
なお、サーバ（図示しない）を利用して個人端末が各々接続されることにより、チャットや別途個人端末にカメラを接続することでテレビ会議を行うことも可能となる。また、指令部１６がＩＰ電話の呼び出し及びその呼び出しに対する応答が無い場合、外部接続装置１内に存在するメモリ（図示しない）に相手方の通話を記憶する留守番電話機能や、電話番号記憶部１２に転送番号がさらに記憶されている場合には着信転送等の機能を指令部１６が行ってもよい。
【００１４】
また、指令部１６は、ＵＲＬ記憶部１３に任意のＵＲＬが記憶されていた場合にはそのＵＲＬを読み出すと共に、個人端末に対して該ＵＲＬのウェブページを表示する指令を出す。これにより、個人端末での操作無しにブラウザを利用したＵＲＬ表示が行われることとなる。
【図面の簡単な説明】
【００１５】
【図１】本発明に係る、外部接続装置の概略図の一例を表す図である。
【符号の説明】
【００１６】
１          外部接続装置
１１        接続端末アドレス取得部
１２        電話番号記憶部
１３        ＵＲＬ記憶部
１４        オーディオ変換部
１５        オーディオ出力部
１６        指令部
１７        メモリ側接続部
【図１】
2007068116.tif 000003